(57)【特許請求の範囲】
【請求項１】
通常の開閉動作時には巻取部の円形外周に常時巻かれたままとなる１巻または１巻超えの捨て巻きを有し、短冊板状のシャッタースラットを開閉方向に回動自在に連結してなるシャッターカーテンの巻取構造であって、
前記捨て巻きの下層巻回シャッタースラットの幅方向長さ（Ｗａ）を、下層巻回シャッタースラットに連結される上層巻回シャッタースラットの幅方向長さ（Ｗｂ）より短く形成し、
前記巻取部の両側には、前記下層巻回シャッタースラットの幅方向外側に、前記上層巻回シャッタースラットを支持する一対の支持部材が設けられ、
前記下層巻回シャッタースラットを構成する１巻目のシャッタースラットが前記巻取部の円形外周に接触し、前記上層巻回シャッタースラットが前記支持部材の上面に支持された状態で巻き取られることを特徴とするシャッターカーテンの巻取構造。
【請求項２】
前記一対の支持部材は、円板状に形成されたことを特徴とする請求項１記載のシャッターカーテンの巻取構造。
【請求項３】
前記支持部材には、前記下層巻回シャッタースラットの幅方向外側に、上層巻回シャッタースラットを支持する支持面が同芯円形の段状に設けられたことを特徴とする請求項１記載のシャッターカーテンの巻取構造。
【請求項４】
前記一対の支持部材の幅方向内側の対向面には、幅方向内側に向かって小径となる内寄せ用ガイドテーパ面が形成されたことを特徴とする請求項１、２又は３記載のシャッターカーテンの巻取構造。
【請求項５】
前記請求項１乃至４のいずれか１つに記載のシャッターカーテンの巻取構造を備えることを特徴とするシャッター装置。
【発明の詳細な説明】
【技術分野】
【０００１】
本発明は、捨て巻きにおけるシャッタースラットの片流れを防止するシャッターカーテンの巻取構造及び、この巻取構造を用いたシャッター装置に関する。
【背景技術】
【０００２】
シャッター装置には、短冊板状のシャッタースラット（以下、単に「スラット」とも称す）を開閉方向に連結した開閉体をシャッターカーテンとして備えるものがある。図７は従来のシャッター装置の正面図である。この種のシャッター装置１は、建物開口３の上部に取り付けたシャッターケース５内に巻取部７を設け、この巻取部７にシャッターカーテン９を巻回状態で収納する一方、閉鎖時には、開口３の床などの下縁にカーテン最下端の部材が触れるまでシャッターカーテン９を左右一対のガイドレール１１，１１に沿って繰り出す。
【０００３】
一般的に、カーテン最下端の部材が開口３の床などの下縁に触れるまでシャッターカーテン９をシャッターケース５から繰り出した全開時においても、シャッターケース５内には、スラット１３等のシャッターカーテン構成部材が、いくつか余長部分１５として巻取部７に巻かれたまま繰り出されずに残っており、この余長部分１５の最上端が上記の巻取部７である例えば巻取軸、巻胴、巻取板、或いはホイールに吊元部材１７を介して連結固定される。余長部分１５は「捨て巻き」とも称せられ、通常の開閉動作時には常時巻取部７の外周に巻かれたままの状態となる。シャッター装置１は、この余長部分（以下、「捨て巻き」と言う）１５を有することで、シャッターカーテン９を閉鎖して自重を床面に支持した後、メンテナンス用操作や作業等により、さらにこの捨て巻き１５の一部をやや繰り出し、吊られている状態を除去し、テンションを除くことにより、スラット交換等のメンテナンスを容易にすることが可能となった。
【特許文献１】実開平５−５４７９９号公報
【特許文献２】実開平７−４０９９１号公報
【発明の開示】
【発明が解決しようとする課題】
【０００４】
しかしながら、シャッター装置１では、通常のシャッターカーテン９の巻き上げ時、全閉していてテンションのかかっていない捨て巻き１５にテンションが加わると、図８に示すように、下層（特に捨て巻きである１巻目）で巻かれたシャッターカーテン９ａが上層（２巻目）に巻かれるシャッターカーテン９ｂによって巻き締められ、下層シャッターカーテン９ａのスラット１３ａが巻取部７の軸線方向に横ズレする所謂「片流れ」が生じることがある。シャッター装置１では、巻取部７に図８に示す撓みが発生し、２巻目のスラット１３ｂが片側のみで１巻目のスラット１３ａに接触し易く、水平方向の分力Ｆが発生し、１巻目のスラット１３ａを横ズレさせる。また、シャッター装置１では、巻取部７の一端側が減速ギヤ１９ａ，１９ｂを介して電動モータ２１によって駆動される。特に長尺の巻取部７の場合では、上記した撓みとともに捩れも生じ易く、これらが共に作用すれば横ズレが一層顕著となった。
【０００５】
従来、この片流れに対しては、図９に示す下カール部２３と上カール部２５とで連結されたスラット１３ａ，１３ｂの端部に、切欠２７、切欠２９、及びかしめ部３１を形成して、上下スラット連結部３３の横ズレを防止する構造、スラット端部に、連結部分に延出する片流れ防止の規制片（図示せず）を設けた構造、ガイドレール内にローラ（図示せず）を配置し、昇降時にスラットが整列するようにした構造（特許文献１参照）、或いはシャッターケース内に、シャッター軸よりも低く位置させてスラットのガイド軸（図示せず）を取付け、スラットをガイド軸の中央部位側に寄せる構造（特許文献２参照）などがその防止対策として採用されていた。ところが、従来の対策では、片流れの根本的な原因を解決していなかったため、横ズレの発生すること事態は防止されておらず、図１０に示すように、発生した横ズレδによって、かしめ部３１の破損や、規制片の摩耗による破損などが発生し易く、異音発生や、動作不良、さらには横ズレしたスラット端部がケースブラケット３５に摺接し長期間に渡りその状態で修正されずに使用し続けた場合、ケースブラケット３５をくり抜き、大きな損壊事故につながる虞も危惧された。その一方で、ガイドレール内にローラを配置したり、シャッターケース内にガイド軸を取付ければ、部品点数が増大するとともに、構造も複雑となり、製品コストが増大した。
【０００６】
本発明は上記状況に鑑みてなされたもので、簡素な構造で、シャッタースラットの片流れを防止できるシャッターカーテンの巻取構造を提供し、もって、製造コストを増大させることなく安全性の向上を図ることを目的とする。
【課題を解決するための手段】
【０００７】
次に、上記の課題を解決するための手段を、実施の形態に対応する図面を参照して説明する。
本発明の請求項１記載のシャッターカーテンの巻取構造は、通常の開閉動作時には巻取部の円形外周に常時巻かれたままとなる１巻または１巻超えの捨て巻きを有し、短冊板状のシャッタースラットを開閉方向に回動自在に連結してなるシャッターカーテンの巻取構造であって、
前記捨て巻きの下層巻回シャッタースラットの幅方向長さ（Ｗａ）を、下層巻回シャッタースラットに連結される上層巻回シャッタースラットの幅方向長さ（Ｗｂ）より短く形成し、
前記巻取部の両側には、前記下層巻回シャッタースラットの幅方向外側に、前記上層巻回シャッタースラットを支持する一対の支持部材が設けられ、
前記下層巻回シャッタースラットを構成する１巻目のシャッタースラットが前記巻取部の円形外周に接触し、前記上層巻回シャッタースラットが前記支持部材の上面に支持された状態で巻き取られることを特徴とする。
請求項２では、前記一対の支持部材は、円板状に形成されたことを特徴とする。
【０００８】
このシャッターカーテンの巻取構造では、シャッターカーテン９の巻き取りが開始されると、巻取部４１が回転され、常にガイドレール１１，１１の上方にある捨て巻き１５の下層巻回シャッタースラット１３ａ上で、それに続く上層巻回シャッタースラット１３ｂが支持部材４３，４３に支持され、下層巻回シャッタースラットの１巻目（または１巻超え）シャッタースラット１３ａ上に直接載らなくなる。これにより、２巻目のシャッタースラット１３ｂが片側のみで１巻目のシャッタースラット１３ａに接触し水平方向の分力Ｆを発生させることによる、１巻目のシャッタースラット１３ａの横ズレが生じなくなる。
【０００９】
請求項３記載のシャッターカーテンの巻取構造は、１巻超で巻かれた前記捨て巻きの下層巻回シャッタースラット１３ｄの幅方向を、上層巻回シャッタースラット１３ｕの幅方向より短く形成し、
前記支持部材４３Ａには、前記下層巻回シャッタースラット１３ｄの幅方向外側に、上層巻回シャッタースラット１３ｕを支持する支持面４７が同芯円形の段状に設けられたことを特徴とする。
【００１０】
このシャッターカーテンの巻取構造では、１巻を超えて巻取部４１に巻回される捨て巻き１５であっても、下層巻回シャッタースラット１３ｄに続く上層巻回シャッタースラット１３ｕが支持部材４３Ａの支持面４７に支持され、多層の捨て巻きに対し、一対の支持部材４３Ａ，４３Ａを用いて、上層巻回シャッタースラット１３ｕが下層巻回シャッタースラット１３ｄに直接載らないように支持可能となる。
【００１１】
請求項４記載のシャッターカーテンの巻取構造は、前記一対の支持部材４３，４３の幅方向内側の対向面には、幅方向内側に向かって小径となる内寄せ用ガイドテーパ面４５が形成されたことを特徴とする。
【００１２】
このシャッターカーテンの巻取構造では、シャッタースラット１３の端部が内寄せ用ガイドテーパ面４５に接触すると、接触したシャッタースラット１３が内寄せ用ガイドテーパ面４５に沿って滑り、一対の支持部材４３，４３の内側に寄せられる。
【００１３】
請求項５記載のシャッター装置は、前記請求項１乃至４のいずれか１つに記載のシャッターカーテンの巻取構造を備えることを特徴とする。
【００１４】
このシャッター装置１００では、上述したシャッターカーテンの巻取構造を備えることで、安全性が向上し、スラットの片流れが防止されるシャッター装置を得ることができる。
【発明の効果】
【００１５】
本発明に係る請求項１又は２記載のシャッターカーテンの巻取構造によれば、捨て巻きの下層巻回シャッタースラットの幅方向を、下層巻回シャッタースラットに連結される上層巻回シャッタースラットの幅方向より短く形成し、巻取部には、下層巻回シャッタースラットの幅方向外側に、上層巻回シャッタースラットを支持する一対の支持部材を設けたので、常にガイドレールの上方にある捨て巻きのシャッタースラット上に、それに続く上層巻回シャッタースラットが直接載らなくなり、上層巻回シャッタースラットが片側のみで下層巻回シャッタースラットに接触し水平方向の分力を発生させることによる下層巻回シャッタースラットの横ズレを生じなくできる。これにより、簡素な構造で、スラットの片流れを防止し、製造コストを大きく増大させずに安全性を向上させることができる。
【００１６】
請求項３記載のシャッターカーテンの巻取構造によれば、１巻超で巻かれた捨て巻きの下層巻回シャッタースラットの幅方向を、上層巻回シャッタースラットの幅方向より短く形成し、支持部材には、下層巻回シャッタースラットの幅方向外側に、上層巻回シャッタースラットを支持する支持面を段状に設けたので、部品点数を増やすことなく、１巻超で巻回される捨て巻きであっても、一対の支持部材を用いて、上層巻回シャッタースラットが下層巻回シャッタースラットに直接載らないように支持でき、多層捨て巻きに対し、簡素な構造で、比較的に安価にスラットの片流れを防止できる。
【００１７】
請求項４記載のシャッターカーテンの巻取構造によれば、一対の支持部材の幅方向内側の対向面に、幅方向内側に向かって小径となる内寄せ用ガイドテーパ面を形成したので、シャッタースラットの端部が内寄せ用ガイドテーパ面に接触すると、接触したシャッタースラットが一対の支持部材の内側に寄せられ、上層巻回シャッタースラットの巻き締めによる水平方向の分力に起因しない横ズレも抑止することができる。
【００１８】
請求項５記載のシャッター装置によれば、上記シャッターカーテンの巻取構造を備えていることから、上記各効果を有するシャッター装置、すなわち、安全性が向上し、スラットの片流れが防止されるシャッター装置を得ることができる。
【発明を実施するための最良の形態】
【００１９】
以下、本発明に係るシャッターカーテンの巻取構造の好適な実施の形態を図面を参照して詳細に説明する。
図１は本発明に係るシャッターカーテンの巻取構造を備えたシャッター装置の正面図、図２は図１に示した巻取部の拡大正面図、図３は巻取部に巻かれた１巻目と２巻目のシャッタースラットを表す巻取部軸線直交方向の断面図である。
なお、１巻目，２巻目，…とは、シャッターカーテン９の巻き始め側（後述する吊元部材１７側）からのカウントである。
本実施の形態によるシャッター装置１００は、建物などに設けられた開口３の上部に取り付けたシャッターケース５内に巻取部４１を有し、この巻取部４１にシャッターカーテン９を巻回状態で収納する一方、閉鎖時には、開口３の床などの下縁にカーテン最下端の部材が触れるまでシャッターカーテン９を左右一対のガイドレール１１，１１に沿って繰り出す。
【００２０】
シャッターケース５内には、シャッターカーテン９の最下端の部材が開口３の床などの下縁に触れるまでシャッターカーテン９をシャッターケース５から繰り出した全閉時に、短冊板状のスラット１３等のシャッターカーテン構成部材が、いくつか捨て巻き１５として繰り出されずに巻取部４１に巻回されたまま残っており、この捨て巻き１５の最上端（換言すればシャッターカーテン９の開放移動方向側の端部）が巻取部４１である例えば巻取軸、巻胴、巻取板、或いはホイールに吊元部材１７（図３参照）を介して連結固定される。捨て巻き１５は、通常の開閉動作時には常時巻取部４１の外周に巻かれたままの状態となる。シャッター装置１００は、この捨て巻き１５を有することで、シャッターカーテン９を閉鎖して自重を床面に支持した後、メンテナンス用操作や作業などによりさらにこの捨て巻き１５の一部を繰り出し、吊られている状態を除去し、テンションを除くことにより、スラット交換等のメンテナンスを容易にしている。
【００２１】
シャッターケース５のケースブラケット３５には電動モータ２１が固定され、電動モータ２１は減速ギヤ１９ａ，１９ｂを介して巻取部４１の一端側（図例では右端側）を回転駆動する。
【００２２】
シャッターカーテン９は、捨て巻き１５の部分も含めて、従来同様、短冊板状のスラット１３の下カール部２３（図９参照）と上カール部２５（図９参照）とを開閉方向に連結してなる。また、このシャッターカーテン９におけるスラット１３ａ，１３ｂの端部には、従来同様に、上下スラット連結部３３の横ズレを防止するための図９に示した切欠２７、切欠２９、及びかしめ部３１を形成してもよい。
【００２３】
シャッター装置１００では、シャッターカーテン９における１巻目のスラット１３ａの幅Ｗａ（図２参照）を、２巻目のスラット１３ｂの幅Ｗｂ（図２参照）より短く形成している。１巻目のスラット１３ａは、図３に示すように、吊元部材１７から一枚目の１巻目スラット１３ａ１、二枚目の１巻目スラット１３ａ２、三枚目の１巻目スラット１３ａ３、四枚目の１巻目スラット１３ａ４からなる。２巻目のスラット１３ｂは、五枚一枚目の２巻目スラット１３ｂ５、六枚目の２巻目スラット１３ｂ６、七枚目の２巻目スラット１３ｂ７、八枚目の２巻目スラット１３ｂ８、九枚目の２巻目スラット１３ｂ９、十枚目の２巻目スラット１３ｂ１０からなる。通常、吊元部材１７から数枚目までのスラット１３が捨て巻きとなっている。
【００２４】
そして、巻取部４１には、１巻目のスラット１３ａの幅方向外側に、２巻目のスラット１３ｂを支持する一対の支持部材４３，４３が設けられている。本実施の形態では、フランジ状の支持部材４３，４３を例示するが、支持部材は、円板状以外に、断続的な突出支持部材としても良い。支持部材４３，４３を設けることで、１巻目のスラット１３ａは、支持部材４３，４３の間で巻取部４１に直接巻かれることとなるが、２巻目のスラット１３ｂは、両端が支持部材４３，４３に巻かれ、１巻目のスラット１３ａを巻き締めることがない。なお、１巻目のスラット１３ａと２巻目のスラット１３ｂとは、２巻目のスラット１３ｂからの巻き締め力が１巻目のスラット１３ａに作用しなければよく、双方の間に間隙ｓが形成されるか否かはいずれであってもよい。
【００２５】
また、この支持部材４３，４３は、２巻目以降のスラットを支持する部材となるが、１巻目のスラット１３ａに生じた軸線方向の力、すなわちスラスト力をキャンセルする１巻目スラット１３ａの横ズレ防止手段を兼ねても良い。したがって、１巻目のスラット１３ａの両端と、支持部材４３，４３との隙間はできるだけ少ない方が好ましい。
なお、巻取部４１の円周方向において、１巻目のスラット１３ａの位置と２巻目のスラット１３ｂの位置とが一致するとは限らないことを考慮して、支持部材４３，４３の巻取部４１からの立ち上がり高さ寸法は、スラットの厚さ寸法と略同じか、やや大きい程度（１．０〜１．２倍程度）とすることが好ましい。また、支持部材４３，４３の巻取部４１からの立ち上がり高さ寸法は等しく設定する。
【００２６】
また、一対の支持部材４３，４３の幅方向内側の対向面には、幅方向内側に向かって小径となる内寄せ用ガイドテーパ面４５が形成されている。これにより、１巻目のスラット１３ａの端部が内寄せ用ガイドテーパ面４５に接触すると、接触したシャッタースラット１３が内寄せ用ガイドテーパ面４５に沿って滑り、一対の支持部材４３，４３の内側に寄せられる。つまり、上層巻回シャッタースラット（２巻目のスラット１３ｂ）の巻き締めによる水平方向の分力Ｆ（図８参照）に起因しない横ズレも抑止できるようになっている。
なお、一対の支持部材４３，４３の幅方向内側の対向面に上述の内寄せ用ガイドテーパー面４５のようなテーパーを設けることがより好ましいが、テーパー状に形成しないで、鉛直に立ち上がらせることも可能である。
【００２７】
この巻取構造では、シャッターカーテン９の巻き取りが開始されると、巻取部４１が回転され、１巻目のスラット１３ａ上で、それに続く２巻目のスラット１３ｂが支持部材４３，４３に支持され、１巻目のスラット１３ａ上に直接載らなくなる。これにより、２巻目のスラット１３ｂが片側のみで１巻目のスラット１３ａに接触し、水平方向の分力Ｆを発生させることによる１巻目のスラット１３ａの横ズレが生じなくなる。
【００２８】
したがって、上記のシャッターカーテンの巻取構造によれば、１巻目のスラット１３ａの幅方向を、２巻目のスラット１３ｂの幅方向より短く形成し、巻取部４１には、１巻目のスラット１３ａの幅方向外側に、２巻目のスラット１３ｂを支持する一対の支持部材４３，４３を設けたので、１巻目のスラット１３ａ上に、２巻目のスラット１３ｂが直接載らなくなり、１巻目のスラット１３ａの横ズレを生じなくでき、簡素な構造で、スラット１３の片流れを防止し、製造コストを増大させずに安全性を向上させることができる。
なお、一対の支持部材４３，４３の幅方向内側の対向面同士の間隔は、Ｗａ以上、Ｗｂ以下といえる。
【００２９】
図４は段状の支持面を有した巻取部の正面図である。
なお、本発明に係るシャッターカーテンの巻取構造は、捨て巻き１５が１巻超である場合にも用いることができる。この場合、１巻（巻取部４１を１周分）を超える巻数で巻かれた捨て巻き１５の下層巻回スラット１３ｄの幅Ｗｄ（図４参照）を、上層巻回スラット１３ｕの幅Ｗｕ（図４参照）より短く形成する。また、支持部材４３Ａ，４３Ａには、下層巻回スラット１３ｄの幅方向外側に、上層巻回スラット１３ｕを支持する支持面４７を段状に設ける。
【００３０】
このような支持面４７を形成した支持部材４３Ａ，４３Ａを巻取部４１に設けることで、１巻を超える巻数で巻取部４１に巻回される捨て巻き１５であっても、下層巻回スラット１３ｄに続く上層巻回スラット１３ｕが支持面４７に支持され、多層の捨て巻き１５に対し、一対の支持部材４３Ａ，４３Ａを用いて、上層巻回スラット１３ｕが下層巻回スラット１３ｄに直接載らないように支持可能となる。これにより、多層の捨て巻き１５に対しても、簡素な構造で、安価にスラット１３の片流れを防止できる。
なお、図４の図示例によれば捨て巻きは１巻超の２巻以下の例を示しているが、支持部材の支持面４７の段数をさらに増やせば、捨て巻きの巻数をさらに増やしてもスラット１３の片流れを防止できる。なお、段の高さ寸法は、スラット１３の厚さ寸法と略同じか、やや大きい程度（〜１．２倍）とすることが好ましい。また、支持部材４３Ａ，４３Ａの段の高さは互いに等しい。
【００３１】
図５は手動開閉式シャッター装置における巻取部の正面図である。
また、上記の実施の形態では、電動モータ２１を備えた電動式のシャッター装置に本発明を適用した場合を説明したが、本発明に係るシャッターカーテンの巻取構造は、電動モータ２１を備えず、図５に示す固定シャフト４９に、巻き上げ力補助用のスプリング５１にて付勢されたホイール５３，５３を回動自在に支持した手動開閉式のシャッター装置２００にも採用することができる。この場合においても、図例のように両端のホイール５３，５３を、支持面５５の形成された上記同様の支持部材として構成することで、２巻目のスラット１３ｂがホイール５３の支持面５５に支持され、１巻目のスラット１３ａ上に直接載らなくなり、上記同様の効果を奏する。
【実施例】
【００３２】
次に、２巻目（１巻超２巻以下）のスラットによって直接巻き締められる１巻目（１巻以下）のスラットの挙動を調べることで、本発明の構成が片流れの防止に有効であることを検証した実験について説明する。
［試験体］
スラット材質                        亜鉛メッキ鋼板
シャッターカーテンサイズ、枚数      幅２０００×ピッチ７６ｍｍ、３３枚
巻取部直径                          φ１１４．３ｍｍ
［使用センサ］
渦電流式非接触変位計                巻取部にセンサ本体固定
ターゲットをスラット端部に貼り付け
スラットとセンサとの間の変位を計測
３軸ひずみゲージ                    スラット変形ひずみを測定
［測定方法］
渦電流式非接触変位計、３軸ひずみゲージからの出力をＡ／Ｄ変換装置に接続し、初期設定を行った後、シャッターカーテンの開閉動作を繰り返し、開閉動作中の全ての出力を同時に測定した。
【００３３】
［測定結果］
図６はシャッターカーテンの全閉状態から２巻目までの巻回状態を（ａ）〜（ｄ）で表した巻取部軸線直交方向の断面図である。
図６（ａ）に示したシャッターカーテン９の全閉状態から、巻取部４１を図中反時計回りに回転し、図６（ｂ）に示すように、１巻目のスラット１３ａを巻き取った後、図６（ｃ）に示すように、２巻目のスラット１３ｂが巻き始められると、二枚目の１巻目スラット１３ａ２と八枚目の２巻目スラット１３ｂ８とが重なり、巻き取られた際に、二枚目の１巻目スラット１３ａ２の横ズレが顕著に現れた。また、捨て巻き１５では、１巻目から巻き取り始めのスラットが巻き締められることになり、１巻目がスラスト力で横方向に滑り、横ズレの発生源になる。横ズレが生じると、左右端で巻径が変化し、それによっても横ズレが生じ、また、その横ズレの発生が、左右端での、駆動側（電動モータ２１側）と従動側という回転力の不均等からも発生があった。
【００３４】
さらに、横ズレの起きる原因は、下層巻回スラットの上に巻かれる上層巻回スラットの巻き締め力によるものと、予め巻取部４１に巻かれているスラットが巻取部４１の長さによって生じる重力方向の撓みによるもの、及び巻取部４１の回転時における捩れとで起きていることが分かった。そして、横ズレは、シャッターカーテン９の開閉を重ねる毎に、ずれが大きくなる傾向にもあった。
【００３５】
以上の結果から、本発明の構成による支持部材４３，４３を設け、下層巻回スラット上に、上層巻回スラットが直接載らない構造とすれば、上層巻回スラットの巻き締めに起因する水平分力がキャンセル可能となり、簡素な構造で、下層巻回スラットの横ズレ防止が可能となることが確認できた。
【図面の簡単な説明】
【００３６】
【図１】本発明に係るシャッターカーテンの巻取構造を備えたシャッター装置の正面図である。
【図２】図１に示した巻取部の拡大正面図である。
【図３】巻取部に巻かれた１巻目と２巻目のシャッタースラットを表す巻取部軸線直交方向の断面図である。
【図４】段状の支持面を有した巻取部の正面図である。
【図５】手動開閉式シャッター装置における巻取部の正面図である。
【図６】シャッターカーテンの全閉状態から２巻目までの巻回状態を（ａ）〜（ｄ）で表した巻取部軸線直交方向の断面図である。
【図７】従来のシャッター装置の正面図である。
【図８】１巻目と２巻目のスラットが巻かれた従来のシャッター装置における巻取部の正面図である。
【図９】横ズレを防止構造を（ａ）、下カール部と上カール部との連結部を（ｂ）に表した上下スラット連結部の説明図である。
【図１０】横ズレにより破損の生じるかしめ部の拡大正面図である。
【符号の説明】
【００３７】
９…シャッターカーテン
１３…シャッタースラット（スラット）
１３ａ…１巻目のシャッタースラット
１３ｂ…２巻目のシャッタースラット
１３ｄ…下層巻回シャッタースラット
１３ｕ…上層巻回シャッタースラット
１５…捨て巻き
４１…巻取部
４３…支持部材
４５…内寄せ用ガイドテーパ面
４７…支持面
【図１】
0005154164.tif 000002
【図２】
0005154164.tif 000003
【図３】
0005154164.tif 000004
【図４】
0005154164.tif 000005
【図５】
0005154164.tif 000006
【図６】
0005154164.tif 000007
【図７】
0005154164.tif 000008
【図８】
0005154164.tif 000009
【図９】
0005154164.tif 000010
【図１０】
0005154164.tif 000011